(57)【要約】【課題】グランドピアノに匹敵する連打性とタッチ感を有するアップライトピアノのアクションの提供。【解決手段】鍵１を離鍵したときに、ジャック１８の突き上げ部２０に、突き上げ部２０をバット２５の被突き上げ部２７の下に強制的に押し込む大きさと方向の力を与える第１のスプリング５９を、突き上げ部２０に形成するとともに、第１のスプリング５９が突き上げ部２０を被突き上げ部２７の下に押し込む際に働く力を受けて弦９０に向かって回動するハンマー３２に、この回動するハンマー３２のハンマーヘッド３４が弦９０に触れる前にその回動を停止する方向と大きさの力を与える第２のスプリング６６を、ダンパーストップレール５６の前側面上に設け、第１のスプリング５９が当たる第１の受け部７１をジャックストップレール５３に設け、第２のスプリング６６が当たる第２の受け部７２をハンマーシャンク３３に設ける。【選択図】  図３
2011028147.tif 000002
【特許請求の範囲】
【請求項１】
演奏者が鍵を押鍵すると、ウィッペンが上昇しつつ回動し、当該ウィッペンの上に回動可能に軸止されたジャックの突き上げ部の突端が、ハンマーのバットの被突き上げ部を突き上げ、当該ハンマーが回動し、当該ハンマーのハンマーヘッドが弦を打弦するとともに、当該ジャックのジャックテールがレギュレーティングボタンに当たり、当該突き上げ部の突端が当該被突き上げ部の下から離脱するアップライトピアノのアクションの作動方法であって、
前記ジャックテールが前記レギュレーティングボタンに当たった状態の前記ジャックの前記突き上げ部に、この前記突き上げ部を前記被突き上げ部の下に押し込むに足りる大きさと方向の力を、ブラケットに固定された第１のレールと、前記突き上げ部とのうちのいずれかに設けた第１のスプリングによって与え、
演奏者が前記鍵を離鍵し、前記ウィッペンが下降しつつ回動し、前記ジャックテールが前記レギュレーティングボタンから離れる際に、前記第１のスプリングの力によって、前記突き上げ部を前記被突き上げ部の下に押し込み、
前記突き上げ部を前記被突き上げ部の下に押し込む際に前記突き上げ部から前記被突き上げ部に働く力を受けて前記弦に向かって回動する前記ハンマーのハンマーウッドとハンマーシャンクと前記バットとのうちのいずれかに、回動する前記ハンマーヘッドが前記弦に触れる前にその回動を停止させるに足りる大きさと方向の力を、前記ブラケットに固定された第２のレールと、前記ハンマーウッドと、前記ハンマーシャンクと、前記バットとのうちのいずれかひとつに設けた第２のスプリングによって与えることを特徴とするアップライトピアノのアクションの作動方法。
【請求項２】
演奏者が鍵を押鍵すると、ウィッペンが上昇しつつ回動し、当該ウィッペンの上に回動可能に軸止されたジャックの突き上げ部の突端が、ハンマーのバットの被突き上げ部を突き上げ、当該ハンマーが回動し、当該ハンマーのハンマーヘッドが弦を打弦するとともに、当該ジャックのジャックテールがレギュレーティングボタンに当たり、当該突き上げ部の突端が当該被突き上げ部の下から離脱するアップライトピアノのアクションであって、
前記ジャックテールが前記レギュレーティングボタンに当たった状態の前記ジャックの前記突き上げ部に、この前記突き上げ部を前記被突き上げ部の下に押し込むに足りる大きさと方向の力を与える第１のスプリングを、ブラケットに固定された第１のレールと、前記突き上げ部とのうちのいずれかに設け、
前記第１のスプリングが前記突き上げ部を前記被突き上げ部の下に押し込む際に前記突き上げ部から前記被突き上げ部に働く力を受けて前記弦に向かって回動する前記ハンマーのハンマーウッドとハンマーシャンクと前記バットとのうちのいずれかに、回動する前記ハンマーヘッドが前記弦に触れる前にその回動を停止させるに足りる大きさと方向の力を与える第２のスプリングを、前記ブラケットに固定された第２のレールと、前記ハンマーウッドと、前記ハンマーシャンクと、前記バットとのうちのいずれかひとつに設けたことを特徴とするアップライトピアノのアクション。
【請求項３】
前記第１のスプリングが、板バネ又は捻りコイルバネであり、
前記第１のスプリングをなす板バネ又は捻りコイルバネから延びて自由端となっている足部が当接する第１の受け部が、前記第１のレールと、前記突き上げ部とのうちの前記第１のスプリングを設けていないものに設けられていることを特徴とする請求項２に記載のアップライトピアノのアクション。
【請求項４】
前記第１のレールと前記突き上げ部とのうちの前記第１の受け部が設けられているものに螺合して貫通する螺子の螺子部先端が、前記第１の受け部を支持していることを特徴とする請求項３に記載のアップライトピアノのアクション。
【請求項５】
前記第２のスプリングが、板バネ又は捻りコイルバネであり、
前記第２のスプリングが、前記ハンマーウッドと、前記ハンマーシャンクと、前記バットとのうちのいずれかに設けられている場合には、前記第２のスプリングをなす板バネ又は捻りコイルバネから延びて自由端となっている足部が当接する第２の受け部が、前記第２のレールに設けられており、
前記第２のスプリングが、前記第２のレールに設けられている場合には、前記第２のスプリングをなす板バネ又は捻りコイルバネから延びて自由端となっている足部が当接する第２の受け部が、前記ハンマーウッドと、前記ハンマーシャンクと、前記バットとのうちのいずれかひとつに設けられていることを特徴とする請求項２から請求項４のうちのいずれかの請求項に記載のアップライトピアノのアクション。
【請求項６】
前記第２のレールと、前記ハンマーウッドと、前記ハンマーシャンクと、前記バットとのうちの前記第２の受け部が設けられているものに螺合して貫通する螺子の螺子部先端が、前記第２の受け部を支持していることを特徴とする請求項５に記載のアップライトピアノのアクション。
【発明の詳細な説明】
【技術分野】
【０００１】
本発明は、アップライトピアノのアクション作動方法及びアップライトピアノのアクションに関する。
【背景技術】
【０００２】
典型的なグランドピアノのアクションについて述べる（非特許文献１を参照）。なお、以下の説明において、演奏者から見て手前側を「前」、奥側を「後」、左側を「左」、右側を「右」ということとする。
演奏者が休止状態の鍵を押鍵すると、鍵の後端部がウィッペンを突き上げる。そして、レペティションレバーとジャックがハンマーローラーを押し上げ、ハンマーが上方の弦に向かって回動する。これとほとんど同時に、ダンパーヘッドが上昇し弦から離れる。
【０００３】
演奏者がさらに深く鍵を押鍵すると、ハンマーが弦に到達する直前に、ジャックテールがレギュレーティングボタンに接触し、ジャックが回動し、ジャックの突端がハンマーローラーの下から離脱する。
そして、ハンマーヘッドが弦に衝突し、弦が振動する。弦に衝突したハンマーは反転して下降する。このとき、ジャックの突端はハンマーローラーの下に位置しておらず、ハンマーローラーがレペティションレバーを押し下げる。ハンマーはレペティションスプリングの力を受けつつ下降し、バックチェックがハンマーヘッドを捕らえる。
【０００４】
次いで、演奏者が鍵を離鍵すると、ウィッペンが下降し、ハンマーヘッドがバックチェックから外れ、レペティションレバーがレペティションスプリングの力で上方に回動し、ハンマーローラーが押し上げられる。ウィッペンは下降しているので、ハンマーは僅かに上昇するだけである。このとき、ジャックがジャックスプリングの力で回動し、ジャックの突端がハンマーローラーの下に戻る。これにより、演奏者は、次の押鍵により同じ弦を再び鳴らすことができる。そして、レペティションレバーがドロップスクリューに当たってハンマーの上昇が止まる。その後、ハンマーは、ウィッペンとともに下降する。
【０００５】
グランドピアノの構造上、ジャックの突端がハンマーローラーの下に戻るとき、鍵は完全に押し下げられた位置から休止状態の位置に向かって約３分の１だけ戻っている。したがって、グランドピアノにおいては、鍵が完全に押し下げられた位置から休止状態の位置に向かって約３分の１だけ戻れば、同じ鍵を再び押鍵して弦を鳴らすことができる。本発明者が知るある実験例によれば、一定時間内に同じ鍵を連続して押鍵して同じ弦を鳴らすことができる回数は、１４回／秒であった。
グランドピアノに特有の鍵のタッチ感は、レペティションスプリングから鍵に伝わる第１の力と、ジャックの突端がハンマーローラーの下に戻るときに鍵に伝わる第２の力と、レペティションレバーがドロップスクリューに当たるときに鍵に伝わる第３の力と、により生まれる。
【０００６】
典型的なアップライトピアノのアクションについて述べる（非特許文献１を参照）。
演奏者が休止状態の鍵を押鍵すると、鍵の後端部がウィッペンを突き上げ、ウィッペンが回動する。そして、ジャックの突き上げ部の突端がバットの被突き上げ部を突き上げ、バットを含むハンマー全体がバットフレンジを中心にして弦に向かって回動する。また、ウィッペンの回動により、ダンパーヘッドが弦から離れる。
演奏者がさらに深く鍵を押鍵すると、ジャックテールがレギュレーティングボタンに当たり、ジャックが回動し、ジャックの突き上げ部の突端がバットの被突き上げ部の下から離脱し（すなわち、レットオフし）、ハンマーが鍵の動きから切り離される。ハンマーは慣性力により弦に向かって回動し、ハンマーヘッドが弦に衝突し、弦が振動する。弦に衝突したハンマーは反転して弦から離れる。そして、バックチェックがキャッチャーを捕らえ、ハンマーは静止する。
【０００７】
次いで、演奏者が鍵を離鍵すると、ウィッペンが下降し、キャッチャーがバックチェックから離れるとともに、ジャックテールがレギュレーティングボタンから離れる。ウィッペンが完全に下降すると、バットの被突き上げ部の下にジャックの突き上げ部の突端が入ることができるスペースができる。そして、ジャックがジャックスプリングにより回動し、ジャックの突き上げ部の突端がバットの被突き上げ部の下に入り、両者が係合する。
【０００８】
次に、ジャックとバットが係合するために必要なスペースについて述べる。
アクションの構造上、演奏者が鍵を最も押し下げると、鍵の前端は約１０ｍｍ下降し、鍵の後端部がウィッペンのヒールを約５ｍｍ突き上げ、ジャックフレンジが約５ｍｍ上昇する。そして、レットオフしたジャックの突き上げ部の突端も、鍵が休止状態のときから約５ｍｍ上昇する。一方、バットは、ジャックに突き上げられてバットフレンジを中心に回動する。バットフレンジからバットの被突き上げ部までの距離は短い。このため、バックチェックがキャッチャーを捕らえた状態において、バットの被突き上げ部は、鍵が休止状態であったときの状態から約１ｍｍ上昇しているにすぎない。ここに示した数値は一例であるが、アップライトピアノでは、ジャックの突き上げ部の突端の上昇量が、バットの被突き上げ部の上昇量よりもはるかに大きい。したがって、ハンマーのバットの被突き上げ部の下に、ジャックの突き上げ部の突端が入るに足りるスペースができるのは、ウィッペンが完全に下降し、鍵が休止状態に戻ったときである。
【０００９】
もし、鍵が休止状態に戻る前に、ジャックの突き上げ部の突端がバットの被突き上げ部の下に入ろうとすると、ジャックの突き上げ部の突端は、バットの被突き上げ部よりも前方側かつ上側の面に当たるだけであり、ジャックとバットは係合できない。
ジャックとバットが係合することにより、演奏者は次の押鍵により再び同じ弦を鳴らすことができる。前記実験例によれば、一定時間内に同じ鍵を連続して押鍵して同じ弦を鳴らすことができる回数は、７回／秒であった。したがって、グランドピアノに対してアップライトピアノは同じ鍵の連打性が劣る。
【００１０】
また、アップライトピアノのアクションには、レペティションレバー、レペティションスプリング、ハンマーローラー及びドロップスクリューが存在しない。このため、アップライトピアノの鍵のタッチ感は、グランドピアノの鍵のタッチ感と大きく異なる。
アップライトピアノがグランドピアノに対して同じ鍵の連打性で劣る点を克服するべく、アップライトピアノのアクションの改良を目的とした技術が提唱されている。
【００１１】
アップライトピアノのアクションの改良技術として、例えば、以下に説明するものがある（特許文献１を参照）。なお、この技術を先行技術１という。
先行技術１に係るアクションでは、スプリング部がジャックの突き上げ部に設けられている。ジャックがレットオフすると、スプリング部がレギュレーティングレールに当接してジャックをバット側に付勢する。
演奏者が鍵を離鍵すると、ウィッペン及びジャックが下降し、ジャックがジャックスプリング及びスプリング部により回動する。そして、ジャックとバットが係合する。
【００１２】
また、アップライトピアノのアクションの別の改良技術として、以下に説明するものがある（特許文献２を参照）。なお、この技術を先行技術２という。
先行技術２に係るアクションでは、ジャックの突き上げ部の突端側部分と、キャッチャーとの間に、圧縮コイルがジャック／反復スプリングとして取り付けられている。ジャックがレットオフすると、ジャック／反復スプリングがジャックをバット側に付勢する。また、ハンマー戻しスプリングがバットに係合しており、打弦後のハンマーが反転し弦から離れる動作を補助する。
演奏者が鍵を離鍵すると、ウィッペン及びジャックが下降し、ジャックテールがレギュレーティングボタンから離れ、ジャック／反復スプリングによりジャックが回動する。そして、ジャックとバットが係合する。
【先行技術文献】
【特許文献】
【００１３】
【特許文献１】特開２００６−９１５１６号公報
【特許文献２】特許第２６５６３２３号公報
【非特許文献】
【００１４】
【非特許文献１】西口磯春、森太郎、「もっと知りたいピアノのしくみ」、第１版、株式会社音楽之友社、２００５年４月３０日、ｐ．６５〜７７
【発明の開示】
【発明が解決しようとする課題】
【００１５】
先行技術１に係るアップライトピアノのアクションには、以下の問題点が存在する。
先行技術１のアクションでは、スプリング部の役割はジャックスプリングの補強である。離鍵後、ジャックとバットが係合するタイミングは、バットの被突き上げ部の下に、ジャックの突き上げ部の突端が入ることができるスペースができたときである。したがって、典型的なアップライトピアノと同様、演奏者は、同じ鍵を押鍵して同じ弦を鳴らすため、鍵が休止状態に戻るのを待たねばならない。
【００１６】
スプリング部の弾性係数やスプリング部からジャックに働くトルクを大きくして、バットの被突き上げ部の下にジャックの突き上げ部を強引に押し込もうとすることは、次のような不具合を生じ実用に耐えず、演奏上の点から言って論外である。すなわち、ジャックの突き上げ部がバットの被突き上げ部の下に入る際、力がジャックからバットに伝わる。この力は、押鍵時にジャックがバットを突き上げる力よりも小さいが、バットを上方に跳ね上げて、ハンマーを回動させるには充分な大きさである。したがって、ハンマーが回動し、振動中の弦にハンマーヘッドが触れ、弦の振動が止まってしまう。
また、先行技術１のアクションには、レペティションレバー、レペティションスプリング、ハンマーローラー及びドロップスクリューが存在しないので、先行技術１のアクションを備えるアップライトピアノの鍵のタッチ感は、グランドピアノの鍵のタッチ感と大きく異なる。
【００１７】
先行技術２に係るアップライトピアノのアクションには、以下の問題点が存在する。
先行技術２のアクションでは、ジャック／反復スプリングの役割はジャックスプリングの代用をなす。離鍵後、ジャックとバットが係合するタイミングは、バットの被突き上げ部の下に、ジャックの突き上げ部の突端が入ることができるスペースができたときである。したがって、典型的なアップライトピアノと同様、演奏者は、同じ鍵を押鍵して同じ弦を鳴らすため、鍵が休止状態に戻るのを待たねばならない。
【００１８】
特許文献２に記載されているように、離鍵後、鍵が完全に押し下げられた位置から休止状態の位置に向かって２分の１戻った際、ジャックとバットが係合するのであれば、先行技術１と同様の不具合が生じ、演奏上の点から言って実用に耐えない。すなわち、バットの被突き上げ部の下にジャックの突き上げ部が入る際、バットが上方に跳ね上がり、ハンマーが回動し、振動中の弦にハンマーヘッドが触れ、弦の振動が止まってしまう。したがって、離鍵後、鍵が完全に押し下げられた位置から休止状態の位置に向かって２分の１戻った際、ジャックとバットが係合するという構成は、演奏上、論外であると言わざるを得ない。
【００１９】
また、ハンマー戻しスプリングは、弦と衝突したハンマーをハンマーレール側へ戻す役割を果たすにすぎない。仮に、ハンマー戻しスプリングの弾性係数やハンマー戻しスプリングからバットに働くトルクを大きくして、ジャックの突き上げ部の突端をバットの被突き上げ部の下に入ることに起因するハンマーの回動を防止しようとすれば、鍵のタッチ感が非常に重くなってしまう。
【００２０】
仮に、ハンマーヘッドが弦の振動を止めるという犠牲や鍵のタッチ感が非常に重くなるという犠牲を払うとしても、同じ鍵を押鍵して弦を鳴らすには、鍵が完全に押し下げられた位置から休止状態の位置に向かって２分の１戻るのを待たねばならない。これでは、連打性がグランドピアノのそれに及ばない。
さらに、ジャック／反復スプリングは圧縮コイルであるので、ジャック／反復スプリングからジャックの突き上げ部に働く力の方向がぶれやすく、鍵のタッチ感が安定しない。
そして、先行技術２のアクションには、レペティションレバー、レペティションスプリング、ハンマーローラー及びドロップスクリューが存在しないので、先行技術２のアクションを備えるアップライトピアノの鍵のタッチ感は、グランドピアノの鍵のタッチ感と大きく異なる。
【００２１】
本発明は、上記問題を解決するものであり、その目的とするところは、アップライトピアノの連打性をグランドピアノと同等のレベルにまで向上可能であり、同じ鍵を連打するためにジャックとバットが係合しても、振動中の弦にハンマーヘッドが当たって弦の振動を止めてしまうことを防止可能であり、さらに、鍵のタッチ感がグランドピアノの鍵のタッチ感に匹敵するともに、安定した鍵のタッチ感を与えるアップライトピアノのアクションの作動方法及びアップライトピアノのアクションを提供することである。
【課題を解決するための手段】
【００２２】
本発明は、その課題を解決するために以下のような構成をとる。請求項１の発明に係るアップライトピアノのアクションの作動方法は、演奏者が鍵を押鍵すると、ウィッペンが上昇しつつ回動し、当該ウィッペンの上に回動可能に軸止されたジャックの突き上げ部の突端が、ハンマーのバットの被突き上げ部を突き上げ、当該ハンマーが回動し、当該ハンマーのハンマーヘッドが弦を打弦するとともに、当該ジャックのジャックテールがレギュレーティングボタンに当たり、当該突き上げ部の突端が当該被突き上げ部の下から離脱するアップライトピアノのアクションの作動方法であって、前記ジャックテールが前記レギュレーティングボタンに当たった状態の前記ジャックの前記突き上げ部に、この前記突き上げ部を前記被突き上げ部の下に押し込むに足りる大きさと方向の力を、ブラケットに固定された第１のレールと、前記突き上げ部とのうちのいずれかに設けた第１のスプリングによって与え、演奏者が前記鍵を離鍵し、前記ウィッペンが下降しつつ回動し、前記ジャックテールが前記レギュレーティングボタンから離れる際に、前記第１のスプリングの力によって、前記突き上げ部を前記被突き上げ部の下に押し込み、前記突き上げ部を前記被突き上げ部の下に押し込む際に前記突き上げ部から前記被突き上げ部に働く力を受けて前記弦に向かって回動する前記ハンマーのハンマーウッドとハンマーシャンクと前記バットとのうちのいずれかに、回動する前記ハンマーヘッドが前記弦に触れる前にその回動を停止させるに足りる大きさと方向の力を、前記ブラケットに固定された第２のレールと、前記ハンマーウッドと、前記ハンマーシャンクと、前記バットとのうちのいずれかひとつに設けた第２のスプリングによって与える。
【００２３】
演奏者が押鍵した鍵を離鍵した後、ウィッペンが下降しつつ回動する。そして、ジャックテールがレギュレーティングボタンから離れる際、第１のスプリングから力を受けたジャックがバットの方に向かって回動しようとする。ジャックがバットの方に回動しようとすると、ジャックの突き上げ部の突端が、バットの被突き上げ部よりも前方側かつ上方側にある面に押し付けられ、第１のスプリングの力がバットにジャックを介して働く。第１のスプリングの力により、バットがバットフレンジを中心に上方に持ち上がるように回動し、ジャックの突き上げ部の突端がバットの被突き上げ部の下に強制的に押し込まれる。そして、ジャックとバットが係合する。
【００２４】
ジャックとバットが係合する際、バットが回動して、ハンマーが弦の方に向かって回動する。この回動するハンマーに、第２のスプリングから力が働き、ハンマーの回動が停止し、ハンマーヘッドが振動中の弦に触れることを第２のスプリングが防止する。なお、第２のスプリングからハンマーに働く力は、弦とは反対の方向の力の成分、すなわち、前方向の力の成分を有すれば良い。
アップライトピアノの構造上、ジャックテールがレギュレーティングボタンから離れる際、鍵は完全に押し下げられた位置から休止状態の位置に向かって約３分の１だけ戻っている。したがって、鍵が完全に押し下げられた位置から休止状態の位置に向かって約３分の１だけ戻れば、ジャックとバットが第１のスプリングの力により強制的に係合し、演奏者は、同じ鍵を押鍵して同じ弦を鳴らすことができる。
【００２５】
第２のスプリングがハンマーに及ぼすトルクの大きさの観点より、第２のスプリングからハンマーに働く力の作用点をハンマーの回動中心であるバットフレンジから遠ざければ、第２のスプリングの弾性係数を小さくできる。第２のスプリングからハンマーに働く力の作用点がハンマーシャンク上にある場合と、ハンマーウッド上にある場合とを比べると、ハンマーウッド上にある場合の方が、第２のスプリングの弾性係数は小さくてすむ。第２のスプリングからハンマーに働く力の作用点がハンマーシャンク上にある場合、その作用点がバット側からハンマーヘッド側に遠ざかるにしたがって、第２のスプリングに必要な弾性係数は小さくてすむ。第２のスプリングからハンマーに働く力の作用点がハンマーシャンク上にある場合と、バット上にある場合とを比べると、バット上にある場合の方が、第２のスプリングの弾性係数は小さくてすむ。第２のスプリングの弾性係数と、第２のスプリングからハンマーに働く力の作用点の位置を調節すれば、第２のスプリングが鍵のタッチ感に及ぼす影響を調節できる。
【００２６】
演奏者は、第１のスプリングから鍵に伝わる力と、ジャックとバットが係合するときに鍵に伝わる力と、ハンマーヘッドが振動中の弦に触れることを第２のスプリングが防止するときに鍵に伝わる力とを、鍵のタッチ感として感じとる。このタッチ感はグランドピアノのタッチ感に匹敵するものである。第１のスプリングから鍵に伝わる力が、グランドピアノでレペティションスプリングから鍵に伝わる前記第１の力に相当し、ジャックとバットが強制的に係合するときに鍵に伝わる力が、グランドピアノでジャックの突端がハンマーローラーの下に戻るときに鍵に伝わる前記第２の力に相当し、ハンマーヘッドが振動中の弦に触れることを第２のスプリングが防止するときに鍵に伝わる力が、グランドピアノでレペティションレバーがドロップスクリューに当たるときに鍵に伝わる前記第３の力に相当するからである。
【００２７】
なお、第１のレールとして、例えば、従来のアップライトピアノにあるジャックストップレールやレギュレーティングレールを挙げることができる。また、ブラケットの間に新たなレールを架け渡して固定し、これを第１のレールとしても良い。第２のレールとして、例えば、従来のアップライトピアノにあるセンターレールやダンパーレールを挙げることができる。また、ブラケットの間に新たなレールを架け渡して固定し、これを第２のレールとしても良い。
【００２８】
請求項２の発明に係るアップライトピアノのアクションは、演奏者が鍵を押鍵すると、ウィッペンが上昇しつつ回動し、当該ウィッペンの上に回動可能に軸止されたジャックの突き上げ部の突端が、ハンマーのバットの被突き上げ部を突き上げ、当該ハンマーが回動し、当該ハンマーのハンマーヘッドが弦を打弦するとともに、当該ジャックのジャックテールがレギュレーティングボタンに当たり、当該突き上げ部の突端が当該被突き上げ部の下から離脱するアップライトピアノのアクションであって、前記ジャックテールが前記レギュレーティングボタンに当たった状態の前記ジャックの前記突き上げ部に、この前記突き上げ部を前記被突き上げ部の下に押し込むに足りる大きさと方向の力を与える第１のスプリングを、ブラケットに固定された第１のレールと、前記突き上げ部とのうちのいずれかに設け、前記第１のスプリングが前記突き上げ部を前記被突き上げ部の下に押し込む際に前記突き上げ部から前記被突き上げ部に働く力を受けて前記弦に向かって回動する前記ハンマーのハンマーウッドとハンマーシャンクと前記バットとのうちのいずれかに、回動する前記ハンマーヘッドが前記弦に触れる前にその回動を停止させるに足りる大きさと方向の力を与える第２のスプリングを、前記ブラケットに固定された第２のレールと、前記ハンマーウッドと、前記ハンマーシャンクと、前記バットとのうちのいずれかひとつに設けている。
請求項２の発明により、請求項１の発明を実施できる。
【００２９】
請求項３の発明に係るアップライトピアノのアクションは、請求項２に記載のアップライトピアノのアクションであって、前記第１のスプリングが、板バネ又は捻りコイルバネであり、前記第１のスプリングをなす板バネ又は捻りコイルバネから延びて自由端となっている足部が当接する第１の受け部が、前記第１のレールと、前記突き上げ部とのうちの前記第１のスプリングを設けていないものに設けられている。
第１のスプリングから延びて自由端となっている足部が、第１の受け部に当接し、第１のスプリングからジャックの突き上げ部に力が働く。第１の受け部に当接する足部の形状を変えることにより、第１のスプリングからジャックの突き上げ部に働く力やトルクの大きさを容易に調節できる。第１のスプリングから延びて自由端となっている足部の形状を変えるには、例えば、この足部の撓み具合や曲がり具合を変えれば良い。
第１のスプリングは捻りコイルバネであることがより好ましい。第１のスプリングの弾性係数は、そのコイルの巻き数やコイルの径を変えることにより容易に調節できる。
【００３０】
請求項４の発明に係るアップライトピアノのアクションは、請求項３に記載のアップライトピアノのアクションであって、前記第１のレールと前記突き上げ部とのうちの前記第１の受け部が設けられているものに螺合して貫通する螺子の螺子部先端が、前記第１の受け部を支持している。
第１の受け部を支持する螺子の螺子部先端がその被螺合部材から突出する長さを変えれば、第１のスプリングと第１の受け部との当たり具合を容易に調節できる。このあたり具合を調節することにより、第１のスプリングからジャックの突き上げ部に働く力やトルクの大きさを容易に調節できる。
本発明者が試験したところによると、第１のスプリングを板バネ又は捻りコイルバネとすることにより、第１のスプリングから第１の受け部に働く力の方向や大きさがぶれにくくなり、安定した鍵のタッチ感を得ることができる。
【００３１】
請求項５の発明に係るアップライトピアノのアクションは、請求項２から請求項４のうちのいずれかの請求項に記載のアップライトピアノのアクションであって、前記第２のスプリングが、板バネ又は捻りコイルバネであり、前記第２のスプリングが、前記ハンマーウッドと、前記ハンマーシャンクと、前記バットとのうちのいずれかに設けられている場合には、前記第２のスプリングをなす板バネ又は捻りコイルバネから延びて自由端となっている足部が当接する第２の受け部が、前記第２のレールに設けられており、前記第２のスプリングが、前記第２のレールに設けられている場合には、前記第２のスプリングをなす板バネ又は捻りコイルバネから延びて自由端となっている足部が当接する第２の受け部が、前記ハンマーウッドと、前記ハンマーシャンクと、前記バットとのうちのいずれかひとつに設けられている。
【００３２】
第２のスプリングから延びて自由端となっている足部が、第２の受け部に当接し、第２のスプリングからハンマーに力が働く。第２の受け部に当接する足部の形状を変えることにより、第２のスプリングからハンマーに働く力やトルクの大きさを容易に調節できる。第２のスプリングから延びて自由端となっている足部の形状を変えるには、例えば、この足部の撓み具合や曲がり具合を変えれば良い。
第２のスプリングは捻りコイルバネであることがより好ましい。第２のスプリングの弾性係数は、そのコイルの巻き数やコイルの径を変えることにより容易に調節できる。
【００３３】
本発明者が試験したところによると、第２のスプリングを板バネ又は捻りコイルバネとすることにより、第２のスプリングから第２の受け部に働く力の方向や大きさがぶれにくくなり、安定した鍵のタッチ感を得ることができる。
第２の受け部がハンマーウッドとハンマーシャンクとバットのうちのいずれかに設けられている場合、第２の受け部の位置がバットフレンジに近ければ近いほど、ハンマーが回動して第２のスプリングが第２の受け部に当たる際に生じる音が小さくなる。ハンマーが回動する際において、ハンマーと一緒に回動する第２の受け部の回動速度が、バットフレンジに近ければ近いほど、遅くなるからである。
【００３４】
第２の受け部が第２のレールに設けられている場合、第２のレールがバットフレンジに近ければ近いほど、ハンマーが回動して第２のスプリングが第２の受け部に当たる際に生じる音が小さくなる。ハンマーが回動する際において、ハンマーと一緒に第２のスプリングが回動するが、第２のスプリングのうちの第２の受け部に当たる部位の回動速度が、バットフレンジに近ければ近いほど、遅くなるからである。
第２のスプリングが第２の受け部に当たる際に生じる音を小さくするために、第２の受け部に当たる第２のスプリングの部位をフェルト等の布や樹脂等の柔軟性を有する素材によって被覆することができる。また、第２のスプリングが当たる第２の受け部の部位をフェルト等の布や樹脂等の柔軟性を有する素材によって被覆しても良い。
【００３５】
請求項６の発明に係るアップライトピアノのアクションは、請求項５に記載のアップライトピアノのアクションであって、前記第２のレールと、前記ハンマーウッドと、前記ハンマーシャンクと、前記バットとのうちの前記第２の受け部が設けられているものに螺合して貫通する螺子の螺子部先端が、前記第２の受け部を支持している。
第２の受け部を支持する螺子の螺子部先端がその被螺合部材から突出する長さを変えれば、第２のスプリングと第２の受け部との当たり具合を容易に調節できる。このあたり具合を調節することにより、第２のスプリングからハンマーに働く力やトルクの大きさを容易に調節できる。
【発明の効果】
【００３６】
上記のようなアップライトピアノのアクションの作動方法及びアップライトピアノのアクションであるので、アップライトピアノの連打性をグランドピアノと同等のレベルにまで向上可能であり、同じ鍵を連打するためにジャックとバットが係合しても、振動中の弦にハンマーヘッドが当たって弦の振動を止めてしまうことを防止可能であり、さらに、鍵のタッチ感がグランドピアノの鍵のタッチ感に匹敵するともに、安定した鍵のタッチ感を得ることができる。
【図面の簡単な説明】
【００３７】
【図１】鍵が休止状態の位置にあるときに左側から見たアップライトピアノのアクションの構成図である。
【図２】鍵が完全に押し下げられてハンマーヘッドが打弦した直後に左側から見たアップライトピアノのアクションの構成図である。
【図３】鍵が完全に押し下げられた位置から休止状態の位置に向かって３分の１戻ったときに左側から見たアップライトピアノのアクションの構成図である。
【図４】第１のスプリングと第２のスプリングの構成図であり、（ｉ）が第１のスプリングと第２のスプリングの前面図、（ｉｉ）が第１のスプリングと第２のスプリングの左側面図である。
【図５】図１の部分拡大図である。
【図６】鍵が完全に押し下げられてハンマーヘッドが打弦した直後に左側から見た変形例に係るアップライトピアノのアクションの構成図である。
【発明を実施するための形態】
【００３８】
本発明を実施するための形態を図１から図５を参照しつつ説明する。なお、以下の説明において、「時計回り」あるいは「反時計回り」というときは、図１から図３における時計回りあるいは反時計回りのことをいうものとする。
図１〜図３に示すように、本実施の形態に係るアップライトピアノは、左右方向に並ぶ多数の鍵１（ひとつだけ図示）と、各鍵１に対応する弦９０を有する。鍵１の中央部が、筬３に立設されたバランスピン（図示せず）に、回動可能に支持されている。筬３の左右端部にはブラケット（図示せず）がそれぞれ形成されている。左右のこれらのブラケットの間には、センターレール４が架け渡されて固定されている。
鍵１の後端部上方にアクション７が形成されている。アクション７は、ウィッペン８、ジャック１８、ハンマー３２、ダンパー３９を有する。
【００３９】
ウィッペン８の後端部にはスプーン９が立設されている。スプーン９よりもやや前側において、ウィッペン８は、センターレール４の下部のウィッペンフレンジ１０に回動可能に軸止されている。ウィッペンフレンジ１０よりも前側において、ウィッペン８はその下側にヒール１１を有し、その上側にジャックフレンジ１２を有する。ヒール１１がキャプスタンボタン２を介して、鍵１の後端部の上に載っている。ジャックフレンジ１２よりも前側において、ウィッペン８はその上側にジャックスプリング１３を有する。ウィッペン８の前端部には、バックチェックワイヤ１４が立設されており、その先端にバックチェック１５が取り付けられている。
【００４０】
ジャック１８は、前方に突出するジャックテール１９と、上下方向に延びる突き上げ部２０とを有し、ジャックテール１９と突き上げ部２０とがＬの字型をなす。ジャックテール１９と突き上げ部２０とがなす角部において、ジャック１８はジャックフレンジ１２に回動可能に軸止されている。ジャックスプリング１３がジャックテール１９とウィッペン８との間に設置されており、ジャックテール１９を上方に付勢している。突き上げ部２０の前側面の下端側部分には、第１のスプリング５９をなす捻りコイルバネが取り付けられている。
【００４１】
図４に示すように、第１のスプリング５９はコイル部６０と２本の足部６２、６３を有する。コイル部６０の一端が足部６２に連なり、コイル部６０の他端が足部６３に連なっている。足部６２が突き上げ部２０に植設されている。足部６３が上下方向に延び、その上方の先端が自由端をなす。
ジャックテール１９の上方に、レギュレーティングボタン４７が形成されている。レギュレーティングボタン４７は、左右に延びるレギュレーティングレール４８に螺合するレギュレーティングスクリュー４９の先端に支持されている。レギュレーティングレール４８はフォークスクリュー５０によりセンターレール４に固定して取り付けられている。
【００４２】
突き上げ部２０の前方に、左右に延びるジャックストップレール５３がある。ジャックストップレール５３は、第１のレールをなし、ジャックストップレールスクリュー５４によりセンターレール４に固定して取り付けられている。ジャックストップレール５３に、螺子８１が螺合して貫通している。螺子８１の螺子部先端がジャックストップレール５３の後側から突出している。螺子８１の螺子部先端に、第１の受け部７１が支持されている。第１の受け部７１は、基材７３とフェルト７７を有する。螺子８１の螺子部先端が基材７３を前側から支持し、基材７３の後側にフェルト７７が貼られており、フェルト７７が突き上げ部２０の前側面と対向している。フェルト７７は、突き上げ部２０の左右の幅と同じ幅か、突き上げ部２０の左右の幅よりも大きな幅を有する。
【００４３】
第１のスプリング５９の弾性係数と、第１のスプリング５９が第１の受け部７１に当たって撓むことによりジャック１８に与えるトルクの大きさとは、以下のように調整されている。すなわち、これらの弾性係数とトルクは、後述する鍵１の押鍵時において、ジャック１８のレットオフを妨げない大きさであり、かつ、後述する鍵１の離鍵時において、突き上げ部２０の突端を被突き上げ部２７の下に強制的に押し込み可能な大きさである。
【００４４】
ハンマー３２は、バット２５、ハンマーシャンク３３、ハンマーヘッド３４を有する。
バット２５の後側面の下部は、センターレール４の前側上部のバットフレンジ２６に回動可能に軸止されている。バット２５の前側面の上部に、キャッチャーシャンク２８を介してキャッチャー２９が取り付けられている。バット２５は、その下側面に被突き上げ部２７を有し、被突き上げ部２７に革製のスキン７５が貼られている。バット２５の前側面のうちキャッチャーシャンク２８の付け根より下にある部分に、革製のスキン７６が貼られている。すなわち、バット２５において、被突き上げ部２７よりも前方側かつ上方側にある面にスキン７６が貼られている。スキン７５の前端とスキン７６の下端が連続して一体となっている。
【００４５】
バット２５の上側面には上下方向に延びるハンマーシャンク３３が立設されており、ハンマーシャンク３３の上端にハンマーヘッド３４が取り付けられている。ハンマーヘッド３４は、ハンマーシャンク３３の上端から後方に延びるハンマーウッド３５と、ハンマーウッド３５の後端側部分に取り付けられたハンマーフェルト３６とを有する。
ハンマーシャンク３３の上端側部分には螺子８２が螺合して前後方向に貫通しており、螺子８２の螺子部先端がハンマーシャンク３３の後側に突出している。螺子８２の螺子部先端には、第２の受け部７２が支持されている。第２の受け部７２は基材７４とフェルト７８を有する。螺子８２の螺子部先端が基材７４を前側から支持し、基材７４の後側にフェルト７８が貼られており、フェルト７８が後方を向いている。フェルト７８は、ハンマーシャンク３３の太さと同じ大きさの左右の横幅か、ハンマーシャンク３３の太さよりも大きな左右の横幅を有する。
【００４６】
ダンパー３９は、ダンパーレバー４０、ダンパーワイヤー４３、ダンパーヘッド４４を有する。
ダンパーレバー４０の中央部が、センターレール４の後側上部に固定したダンパーフレンジ４１に回動可能に軸止されている。ダンパーレバー４０の前側面下端部が、スプーン９の先端と対向している。ダンパーヘッド４４がダンパーワイヤー４３を介してダンパーレバー４０の上端に取り付けられている。ダンパーヘッド４４は、ダンパーレバー４０に取り付けられたダンパースプリング４２から力を受けて弦９０に圧接している。
【００４７】
ハンマーシャンク３３の前方にハンマーストップレール５５があり、ダンパーワイヤー４３の前方にダンパーストップレール５６がある。ハンマーストップレール５５とダンパーストップレール５６は、左右の前記ブラケットの間にそれぞれ架け渡されて固定されている。ダンパーストップレール５６が第２のレールをなす。
ダンパーストップレール５６の前側面上に、第２のスプリング６６をなす捻りコイルバネが取り付けられている。
【００４８】
図４に示すように、第２のスプリング６６はコイル部６１と２本の足部６７、６８を有する。コイル部６１の一端が足部６７に連なり、コイル部６１の他端が足部６８に連なっている。足部６７がダンパーストップレール５６に植設されている。足部６８は、その先端側がコの字型に折れ曲がっている。足部６８のコの字型部分は、フェルト７８の左右の横幅と同じ大きさの左右の横幅か、フェルト７８の左右の横幅よりも大きな左右の横幅を有する。足部６８が前方の斜め上方向に延び、その先端が自由端をなす。足部６８の長さは、バットフレンジ２６を中心として回動するハンマーヘッド３４と干渉しあうことがない長さであり、バットフレンジ２６を中心として回動するハンマーシャンク３３の第２の受け部７２に足部６８のコの字型部分が当たる長さである。
【００４９】
第２のスプリング６６の弾性係数と、第２のスプリング６６が第２の受け部７２を介してハンマー３２に与えるトルクの大きさとは、以下のように調整されている。すなわち、これらの弾性係数とトルクは、鍵１の押鍵時において、ハンマー３２の打弦を妨げない大きさであり、かつ、鍵１の離鍵時において、回動するハンマー３２を停止させてハンマー３２の打弦を防止可能な大きさである。
そして、弦９０がアクション７の後方に張られている。
本実施の形態に係るアップライピアノは、アクション７が、第１のスプリング５９、第２のスプリング６６、第１の受け部７１、第２の受け部７２を有する点を除いて、従来あるものと同様の構成を有する。
【００５０】
次に、作用について説明する。
先ず、鍵１が休止状態にある場合について説明する（図１及び図５を参照）。鍵１が休止状態にある場合、鍵１の前端は最も上昇した位置にあり、鍵１の後端は最も下降した位置にある。そして、ウィッペン８も最も下降した位置にある。
ジャック１８の突き上げ部２０の突端は、バット２５の被突き上げ部２７の下に入って係合している。ジャックテール１９はレギュレーティングボタン４７から離れている。突き上げ部２０と第１の受け部７１との間は離れている。そして、第１のスプリング５９の足部６３の先端側部分と突き上げ部２０の前側面との間も離れており、足部６３が第１の受け部７１のフェルト７７に当たっている。
【００５１】
バット２５は、キャッチャー２９が最も下降した位置にあり、キャッチャー２９はバックチェック１５から離れている。ハンマーシャンク３３はハンマーストップレール５５に接した状態となっており、ハンマーヘッド３４は弦９０から最も離れた位置にある。第２のスプリング６６の足部６８は第２の受け部７２のフェルト７８から離れている。また、ダンパーヘッド４４はダンパースプリング４２の力により弦９０に圧接している。
【００５２】
次に、演奏者が鍵１を押鍵し、鍵１の前端部が休止状態の位置から最も押し下げられた位置まで下降する場合について説明する（図２を参照）。
演奏者が鍵１を押鍵すると、鍵１が時計回りの方向に回動し、鍵１の後端部が上昇する。鍵１の後端部がヒール１１を突き上げ、ウィッペン８がウィッペンフレンジ１０を中心として反時計回りの方向に回動しつつ上昇する。
ウィッペン８が回動を開始すると、直ちに、スプーン９がダンパーレバー４０の下端を後方に押し、ダンパーレバー４０がダンパーフレンジ４１を中心として時計回りの方向に回動し、ダンパーヘッド４４が弦９０から離れる。
ウィッペン８の回動と上昇に伴って、ジャック１８がウィッペン８と共に上昇する。ジャック１８の上昇過程において、突き上げ部２０の突端がバット２５の被突き上げ部２７を突き上げる。
【００５３】
突き上げ部２０の突端が被突き上げ部２７を突き上げた後も、ウィッペン８は回動と上昇を続ける。突き上げ部２０の突端が被突き上げ部２７を突き上げた後に、ジャックテール１９がレギュレーティングボタン４７に当たる。その後も、ウィッペン８は回動と上昇を続ける。レギュレーティングボタン４７がジャックテール１９を上から押さえるので、ジャック１８がジャックフレンジ１２を中心として時計回りの方向に回動し、突き上げ部２０の突端が被突き上げ部２７の下から前方に離脱する（すなわち、レットオフする）。レットオフした突き上げ部２０は、第１の受け部７１側に接近し、第１のスプリング５９が突き上げ部２０と第１の受け部７１との間に挟まって撓む。
【００５４】
第１のスプリング５９の弾性係数と、第１のスプリング５９が第１の受け部７１に当たって撓むことによりジャック１８に与えるトルクの大きさは、ジャック１８のレットオフを妨げない大きさである。したがって、第１のスプリング５９が突き上げ部２０の離脱を妨げることはない。
バット２５は、被突き上げ部２７を突き上げられて、バットフレンジ２６を中心として反時計回りの方向に回動する。すなわち、ハンマー３２が反時計回りの方向に回動する。ハンマー３２が回動すると、第２のスプリング６６の足部６８が第２の受け部７２に当たって撓む。なお、第２のスプリング６６の弾性係数と、第２のスプリング６６が第２の受け部７２を介してハンマー３２に与えるトルクの大きさとは、押鍵時におけるハンマー３２の打弦を妨げない大きさである。したがって、ハンマーヘッド３４は、第２のスプリング６６に妨げられることなく弦９０を打つ。弦９０は、ハンマーヘッド３４が衝突して振動することにより、音を発する。
【００５５】
ハンマーヘッド３４が弦９０を打った後、ハンマー３２は反転して時計回りの方向に回動する。そして、キャッチャー２９がバックチェック１５に捕まり、ハンマー３２は停止する。このとき、鍵１の前端は休止状態の位置から最も下降しており、鍵１の後端は休止状態の位置から最も上昇している。また、突き上げ部２０の突端は、被突き上げ部２７よりも上方にあり、スキン７６の前側に位置している。
【００５６】
次に、演奏者が鍵１を離鍵し、鍵１の前端部が最も押し下げられた位置から上昇する場合について説明する（図３を参照）。
演奏者が鍵１を離鍵すると、鍵１が反時計回りの方向に回動し、鍵１の後端部が下降を開始する。鍵１の後端部が下降すると、ウィッペン８が、時計回りの方向に回動しつつ下降する。ウィッペン８が下降を開始すると、直ちに、キャッチャー２９がバックチェック１５から離れ、ハンマー３２は回動可能になる。
【００５７】
アップライトピアノの構造上、鍵１の前端部が最も押し下げられた位置から休止状態の位置に向かって約３分の１戻る（すなわち、鍵１の後端部が最も上昇した位置から休止状態の位置に向かって約３分の１戻る）と、ジャックテール１９はレギュレーティングボタン４７に接するだけとなり、レギュレーティングボタン４７がジャックテール１９を上から押さえつける力がなくなる。そして、撓んだ第１のスプリング５９から突き上げ部２０に働く力により、ジャック１８がジャックフレンジ１２を中心として反時計回りの方向に回動しようとし、先ず、突き上げ部２０の突端がバット２５に押し付けられる。突き上げ部２０の突端が押し付けられる位置は、バット２５の前側面であり、被突き上げ部２７よりも上側のスキン７６が貼られた位置である。バット２５の前側面に押し付けられた突き上げ部２０の突端は、第１のスプリング５９から働く力により、被突き上げ部２７の下に強制的に押し込まれる。
【００５８】
突き上げ部２０の突端が被突き上げ部２７の下に強制的に押し込まれる際、突き上げ部２０の突端からバット２５に力が働く。この力によりバット２５は上方に跳ね上がり、バット２５がバットフレンジ２６を中心として反時計回りの方向に回動する。バット２５が回動するとハンマー３２が反時計回りの方向に回動する。ハンマー３２が回動すると、第２のスプリング６６の足部６８が第２の受け部７２に当たり、第２のスプリング６６が撓む。第２のスプリング６６の弾性係数と、第２のスプリング６６が第２の受け部７２を介してハンマー３２に与えるトルクの大きさとは、離鍵時において回動するハンマー３２の回動を停止させ、かつ、ハンマー３２による弦９０の打弦を防止可能な大きさである。したがって、第２のスプリング６６により、ハンマーヘッド３４が弦９０に触れる前に、ハンマー３２は回動を停止する。これにより、振動中の弦９０にハンマーヘッド３４が触れて弦９０の振動が止まることも防止される。
【００５９】
突き上げ部２０の突端が被突き上げ部２７の下に入り、ジャック１８とバット２５が係合するので、演奏者は、離鍵した鍵１を再び押鍵し、ウィッペン８を介して、突き上げ部２０により被突き上げ部２７を突き上げることができる。
すなわち、離鍵した鍵１の前端部が最も押し下げられた位置から休止状態の位置に向かって約３分の１戻れば、演奏者は、再び同じ鍵１を押鍵して振動中の弦９０をハンマー３２で打弦できる。鍵１の前端部が最も押し下げられた位置から休止状態の位置に向かって約３分の１戻れば同じ鍵１を連打できるので、その連打性はグランドピアノの連打性と同等のレベルになる。
【００６０】
演奏者は、第１のスプリング５９から鍵１に伝わる力Ｆ１と、突き上げ部２０が被突き上げ部２７の下に強制的に押し込まれるときに鍵１に伝わる力Ｆ２と、第２のスプリング６６がハンマー３２の回動を停止させるときに鍵１に伝わる力Ｆ３と、を感じることができ、グランドピアノに匹敵するタッチ感を得ることができる。力Ｆ１が、グランドピアノにおけるレペティションスプリングから鍵に伝わる前記第１の力に相当し、力Ｆ２が、グランドピアノにおけるジャックの突端がハンマーローラーの下に戻るときに鍵に伝わる前記第２の力に相当し、力Ｆ３が、グランドピアノにおけるレペティションレバーがドロップスクリューに当たったときに鍵に伝わる前記第３の力に相当するからである。
【００６１】
第１のスプリング５９からジャック１８に働く力やトルクの大きさは、ジャックストップレール５３の後側から突出する螺子８１の螺子部先端の突出量を変えることにより、簡単に調節できる。同様に、第２のスプリング６６からハンマー３２に働く力やトルクの大きさは、ハンマーシャンク３３の後側から突出する螺子８２の螺子部先端の突出量を変えることにより、簡単に調節できる。
【００６２】
本実施の形態において、第２のスプリング６６の足部６８が斜め前方の上方向に延びているとしたが、代わりに、図６の変形例に示す構成としても良い。この変形例においては、足部６８が斜め前方の下方向に延びている。そして、第２の受け部７２が、ハンマーシャンク３３のバット２５側の根元近傍部分に形成されている。
第２の受け部７２をハンマーシャンク３３のバット２５側の根元近傍部分に形成することにより、ハンマー３２が回動して足部６８が第２の受け部７２に当たる際に生じる音を小さくできる。ハンマー３２が回動する際、ハンマー３２と一緒に回動する第２の受け部７２の回動速度が、ハンマー３２の回動中心であるバットフレンジ２６に近ければ近いほど、遅くなるからである。
【００６３】
本実施の形態において、第１の受け部７１が、ジャックストップレール５３に螺合して貫通する螺子８１により支持されているとしたが、代わりに、ジャックストップレール５３の後側にフェルト７８を貼り付け、このフェルト７８を第１の受け部７１としても良い。同様に、第２の受け部７２が、ハンマーシャンク３３に螺合して貫通する螺子８２により支持されているとしたが、代わりに、ハンマーシャンク３３にフェルト７７を巻きつけ、このフェルト７７を第２の受け部７２としても良い。
【００６４】
本実施の形態において、第１の受け部７１が基材７３とフェルト７７とからなるとしたが、第１の受け部７１を以下のように構成しても良い。すなわち、ジャックストップレール５３の後側にフェルト７７を２点で固定する。フェルト７７の固定されている２点の間の部分の裏側に、ジャックストップレール５３に螺合して貫通する螺子８１の螺子部先端を当てる。そして、螺子８１の螺子部先端が当たっているフェルト７７を第１の受け部７１とする。第１のスプリング５９からジャック１８に働く力やトルクの大きさは、ジャックストップレール５３の後側から突出している螺子８１の螺子部先端の突出量を変えることにより、簡単に調節できる。
【００６５】
同様に、第２の受け部７２を以下のように構成しても良い。すなわち、ハンマーシャンク３３の後側にフェルト７８を２点で固定する。フェルト７８の固定されている２点の間の部分の裏側に、ハンマーシャンク３３に螺合して貫通する螺子８２の螺子部先端を当てる。そして、螺子８２の螺子部先端が当たっているフェルト７８を第２の受け部７２とする。第２のスプリング６６からハンマー３２に働く力やトルクの大きさは、ハンマーシャンク３３の後側から突出している螺子８２の螺子部先端の突出量を変えることにより、簡単に調節できる。
【００６６】
本実施の形態において、第１のスプリング５９及び第２のスプリング６６を、ねじりコイルバネの代わりに板バネによって形成しても良い。この場合、板バネの長手方向両端側部分を足部とし、一方の足部を第１のスプリング５９における足部６２又は第２のスプリング６６における足部６７とし、他方の足部を第１のスプリング５９における足部６３又は第２のスプリング６６における足部６８とする。そして、板バネの足部６２又は足部６７となる端側部分近傍の曲率を他の部分よりも小さくする。
【００６７】
本実施の形態において、第１のスプリング５９の足部６２を、前記ブラケットの間に新たに固定して設けたレール、ジャックストップレール５３、あるいは、レギュレーティングレール４８に植設し、第１の受け部７１を突き上げ部２０の前側面に設けても良い。
本実施の形態において、第２のスプリング６６の足部６７をセンターレール４に植設しても良い。これにより、足部６８の長さを変えやすくなり、第２のスプリング６６を調節しやすくなる。また、足部６７を前記ブラケットの間に新たに固定して設けたレールに植設しても良い。
【００６８】
本実施の形態において、第２のスプリング６６の足部６７を、ハンマーウッド３５、ハンマーシャンク３３あるいはバット２５に植設し、第２の受け部７２を、前記ブラケットの間に新たに固定して設けたレール、ダンパーストップレール５６の前側面、あるいは、センターレール４の一部に設けても良い。
本実施の形態において、スキン７５、７６を毛織物等の織布や不織布により形成しても良いし、フェルト７７、７８を、革、毛織物等の織布あるいは不織布により形成しても良い。
【符号の説明】
【００６９】
１    鍵
４    センターレール
７    アクション
８    ウィッペン
１０    ウィッペンフレンジ
１２    ジャックフレンジ
１５    バックチェック
１８    ジャック
１９    ジャックテール
２０    突き上げ部
２５    バット
２６    バットフレンジ
２７    被突き上げ部
２９    キャッチャー
３２    ハンマー
３３    ハンマーシャンク
３４    ハンマーヘッド
３５    ハンマーウッド
３９    ダンパー
４７    レギュレーティングボタン
５３    ジャックストップレール
５６    ダンパーストップレール
５９    第１のスプリング
６２、６３    第１のスプリングの足部
６６    第２のスプリング
６７、６８    第２のスプリングの足部
７１    第１の受け部
７２    第２の受け部
８１、８２    螺子
９０  弦
【図１】
2011028147.tif 000003
【図２】
2011028147.tif 000004
【図３】
2011028147.tif 000005
【図４】
2011028147.tif 000006
【図５】
2011028147.tif 000007
【図６】
2011028147.tif 000008
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
レギュレーティングレールと、ジャックストップレールと、センターレールと、ダンパーストップレールと、を有するとともに、ジャックのジャックテールとウィッペンとの間にジャックスプリングを有しており、演奏者が鍵を押鍵すると、当該ウィッペンが上昇しつつ回動し、当該ウィッペンの上に回動可能に軸止された当該ジャックの突き上げ部の突端が、バットの被突き上げ部を突き上げ、ハンマーが回動し、当該ハンマーのハンマーヘッドが弦を打弦するとともに、当該ジャックテールがレギュレーティングボタンに当たり、当該突き上げ部の突端が当該被突き上げ部の下から離脱するアップライトピアノのアクションの作動方法であって、
前記レギュレーティングレールと、前記ジャックストップレールと、のうちのいずれかを第１のレールとし、当該第１のレールと、前記突き上げ部と、のうちのいずれか一方に、板バネ又は捻りコイルバネからなる第１のスプリングを設け、
前記第１のスプリングをなす板バネ又は捻りコイルバネから延びて自由端となっている足部が当接する第１の受け部を、前記第１のレールと、前記突き上げ部と、のうちの前記第１のスプリングを設けていないものに設け、
前記センターレールと、前記ダンパーストップレールと、のうちのいずれかを第２のレールとし、当該第２のレールと、前記ハンマーウッドと、前記ハンマーシャンクと、前記バットと、のうちのいずれかひとつに、板バネ又は捻りコイルバネからなる第２のスプリングを設け、
前記第２のスプリングが、前記ハンマーウッドと、前記ハンマーシャンクと、前記バットと、のうちのいずれかひとつに設けられている場合には、前記第２のスプリングをなす板バネ又は捻りコイルバネから延びて自由端となっている足部が当接する第２の受け部を、前記第２のレールに設け、
前記第２のスプリングが、前記第２のレールに設けられている場合には、前記第２のスプリングをなす板バネ又は捻りコイルバネから延びて自由端となっている足部が当接する第２の受け部を、前記ハンマーウッドと、前記ハンマーシャンクと、前記バットと、のうちのいずれかひとつに設け、
演奏者が前記鍵を離鍵し、前記ウィッペンが下降しつつ回動し、前記ジャックテールが前記レギュレーティングボタンから離れる際に、前記第１のレールと前記突き上げ部との間に挟まって撓んだ前記第１のスプリングが、前記突き上げ部の突端を前記バットの前記被突き上げ部よりも前方側かつ上方側にある面に押し付け、さらに、前記突き上げ部を前記被突き上げ部の下に押し込み、
前記第１のスプリングが前記突き上げ部を前記被突き上げ部の下に押し込む際に、前記ハンマーが、前記突き上げ部から前記被突き上げ部に働く力を受けて前記弦に向かって回動すると、前記第２のスプリングが、前記ハンマーのハンマーウッドとハンマーシャンクと前記バットとのうちのいずれかひとつと、前記第２のレールと、の間に挟まって撓み、回動する前記ハンマーヘッドが前記弦に触れる前に、撓んだ前記第２のスプリングから前記ハンマーに働く力が、この前記ハンマーの回動を停止させることを特徴とするアップライトピアノのアクションの作動方法。
【請求項２】
レギュレーティングレールと、ジャックストップレールと、センターレールと、ダンパーストップレールと、を有するとともに、ジャックのジャックテールとウィッペンとの間にジャックスプリングを有しており、演奏者が鍵を押鍵すると、当該ウィッペンが上昇しつつ回動し、当該ウィッペンの上に回動可能に軸止された当該ジャックの突き上げ部の突端が、バットの被突き上げ部を突き上げ、ハンマーが回動し、当該ハンマーのハンマーヘッドが弦を打弦するとともに、当該ジャックテールがレギュレーティングボタンに当たり、当該突き上げ部の突端が当該被突き上げ部の下から離脱するアップライトピアノのアクションであって、
前記レギュレーティングレールと、前記ジャックストップレールと、のうちのいずれかが、第１のレールをなし、当該第１のレールと、前記突き上げ部と、のうちのいずれか一方に、板バネ又は捻りコイルバネからなる第１のスプリングが設けられており、
前記第１のスプリングをなす板バネ又は捻りコイルバネから延びて自由端となっている足部が当接する第１の受け部が、前記第１のレールと、前記突き上げ部と、のうちの前記第１のスプリングを設けていないものに設けられており、
前記センターレールと、前記ダンパーストップレールと、のうちのいずれかが、第２のレールをなし、当該第２のレールと、前記ハンマーウッドと、前記ハンマーシャンクと、前記バットと、のうちのいずれかひとつに、板バネ又は捻りコイルバネからなる第２のスプリングが設けられており、
前記第２のスプリングが、前記ハンマーウッドと、前記ハンマーシャンクと、前記バットと、のうちのいずれかひとつに設けられている場合には、前記第２のスプリングをなす板バネ又は捻りコイルバネから延びて自由端となっている足部が当接する第２の受け部が、前記第２のレールに設けられており、
前記第２のスプリングが、前記第２のレールに設けられている場合には、前記第２のスプリングをなす板バネ又は捻りコイルバネから延びて自由端となっている足部が当接する第２の受け部が、前記ハンマーウッドと、前記ハンマーシャンクと、前記バットと、のうちのいずれかひとつに設けられており、
演奏者が前記鍵を離鍵し、前記ウィッペンが下降しつつ回動し、前記ジャックテールが前記レギュレーティングボタンから離れる際に、前記第１のレールと前記突き上げ部との間に挟まって撓んだ前記第１のスプリングが前記突き上げ部に与える力が、前記突き上げ部の突端を前記バットの前記被突き上げ部よりも前方側かつ上方側にある面に押し付けることができる大きさと方向の力であるとともに、前記突き上げ部を前記被突き上げ部の下に押し込むことができる大きさと方向の力であり、
前記第１のスプリングが前記突き上げ部を前記被突き上げ部の下に押し込む際に前記突き上げ部から前記被突き上げ部に働く力を受けて前記弦に向かって回動する前記ハンマーと前記第２のレールとの間に挟まって撓んだ前記第２のスプリングが回動する前記ハンマーに与える力が、回動する前記ハンマーヘッドが前記弦に触れる前に前記ハンマーの回動を停止させることができる大きさと方向の力であることを特徴とするアップライトピアノのアクション。
【請求項３】
前記第１のレールと前記突き上げ部とのうちの前記第１の受け部が設けられているものに螺合して貫通する螺子の螺子部先端が、前記第１の受け部を支持していることを特徴とする請求項２に記載のアップライトピアノのアクション。
【請求項４】
前記第２のレールと、前記ハンマーウッドと、前記ハンマーシャンクと、前記バットとのうちの前記第２の受け部が設けられているものに螺合して貫通する螺子の螺子部先端が、前記第２の受け部を支持していることを特徴とする請求項２又は請求項３に記載のアップライトピアノのアクション。
【手続補正２】
【補正対象書類名】明細書
【補正対象項目名】００２２
【補正方法】変更
【補正の内容】
【００２２】
本発明は、その課題を解決するために以下のような構成をとる。請求項１の発明に係るアップライトピアノのアクションの作動方法は、レギュレーティングレールと、ジャックストップレールと、センターレールと、ダンパーストップレールと、を有するとともに、ジャックのジャックテールとウィッペンとの間にジャックスプリングを有しており、演奏者が鍵を押鍵すると、当該ウィッペンが上昇しつつ回動し、当該ウィッペンの上に回動可能に軸止された当該ジャックの突き上げ部の突端が、バットの被突き上げ部を突き上げ、ハンマーが回動し、当該ハンマーのハンマーヘッドが弦を打弦するとともに、当該ジャックテールがレギュレーティングボタンに当たり、当該突き上げ部の突端が当該被突き上げ部の下から離脱するアップライトピアノのアクションの作動方法であって、前記レギュレーティングレールと、前記ジャックストップレールと、のうちのいずれかを第１のレールとし、当該第１のレールと、前記突き上げ部と、のうちのいずれか一方に、板バネ又は捻りコイルバネからなる第１のスプリングを設け、前記第１のスプリングをなす板バネ又は捻りコイルバネから延びて自由端となっている足部が当接する第１の受け部を、前記第１のレールと、前記突き上げ部と、のうちの前記第１のスプリングを設けていないものに設け、前記センターレールと、前記ダンパーストップレールと、のうちのいずれかを第２のレールとし、当該第２のレールと、前記ハンマーウッドと、前記ハンマーシャンクと、前記バットと、のうちのいずれかひとつに、板バネ又は捻りコイルバネからなる第２のスプリングを設け、前記第２のスプリングが、前記ハンマーウッドと、前記ハンマーシャンクと、前記バットと、のうちのいずれかひとつに設けられている場合には、前記第２のスプリングをなす板バネ又は捻りコイルバネから延びて自由端となっている足部が当接する第２の受け部を、前記第２のレールに設け、前記第２のスプリングが、前記第２のレールに設けられている場合には、前記第２のスプリングをなす板バネ又は捻りコイルバネから延びて自由端となっている足部が当接する第２の受け部を、前記ハンマーウッドと、前記ハンマーシャンクと、前記バットと、のうちのいずれかひとつに設け、演奏者が前記鍵を離鍵し、前記ウィッペンが下降しつつ回動し、前記ジャックテールが前記レギュレーティングボタンから離れる際に、前記第１のレールと前記突き上げ部との間に挟まって撓んだ前記第１のスプリングが、前記突き上げ部の突端を前記バットの前記被突き上げ部よりも前方側かつ上方側にある面に押し付け、さらに、前記突き上げ部を前記被突き上げ部の下に押し込み、前記第１のスプリングが前記突き上げ部を前記被突き上げ部の下に押し込む際に、前記ハンマーが、前記突き上げ部から前記被突き上げ部に働く力を受けて前記弦に向かって回動すると、前記第２のスプリングが、前記ハンマーのハンマーウッドとハンマーシャンクと前記バットとのうちのいずれかひとつと、前記第２のレールと、の間に挟まって撓み、回動する前記ハンマーヘッドが前記弦に触れる前に、撓んだ前記第２のスプリングから前記ハンマーに働く力が、この前記ハンマーの回動を停止させる。
【手続補正３】
【補正対象書類名】明細書
【補正対象項目名】００２３
【補正方法】変更
【補正の内容】
【００２３】
演奏者が押鍵した鍵を離鍵した後、ウィッペンが下降しつつ回動する。そして、ジャックテールがレギュレーティングボタンから離れる際、第１のスプリングから力を受けたジャックがバットの方に向かって回動しようとする。ジャックがバットの方に回動しようとすると、ジャックの突き上げ部の突端が、バットの被突き上げ部よりも前方側かつ上方側にある面に押し付けられ、第１のスプリングの力がバットにジャックを介して働く。第１のスプリングの力により、バットがバットフレンジを中心に上方に持ち上がるように回動し、ジャックの突き上げ部の突端がバットの被突き上げ部の下に強制的に押し込まれる。そして、ジャックとバットが係合する。
第１のスプリングから延びて自由端となっている足部が、第１の受け部に当接し、第１のスプリングからジャックの突き上げ部に力が働く。第１の受け部に当接する足部の形状を変えることにより、第１のスプリングからジャックの突き上げ部に働く力やトルクの大きさを容易に調節できる。第１のスプリングから延びて自由端となっている足部の形状を変えるには、例えば、この足部の撓み具合や曲がり具合を変えれば良い。
第１のスプリングは捻りコイルバネであることがより好ましい。第１のスプリングの弾性係数は、そのコイルの巻き数やコイルの径を変えることにより容易に調節できる。
【手続補正４】
【補正対象書類名】明細書
【補正対象項目名】００２４
【補正方法】変更
【補正の内容】
【００２４】
ジャックとバットが係合する際、バットが回動して、ハンマーが弦の方に向かって回動する。この回動するハンマーに、第２のスプリングから力が働き、ハンマーの回動が停止し、ハンマーヘッドが振動中の弦に触れることを第２のスプリングが防止する。なお、第２のスプリングからハンマーに働く力は、弦とは反対の方向の力の成分、すなわち、前方向の力の成分を有すれば良い。
第２のスプリングから延びて自由端となっている足部が、第２の受け部に当接し、第２のスプリングからハンマーに力が働く。第２の受け部に当接する足部の形状を変えることにより、第２のスプリングからハンマーに働く力やトルクの大きさを容易に調節できる。第２のスプリングから延びて自由端となっている足部の形状を変えるには、例えば、この足部の撓み具合や曲がり具合を変えれば良い。
第２のスプリングは捻りコイルバネであることがより好ましい。第２のスプリングの弾性係数は、そのコイルの巻き数やコイルの径を変えることにより容易に調節できる。
アップライトピアノの構造上、ジャックテールがレギュレーティングボタンから離れる際、鍵は完全に押し下げられた位置から休止状態の位置に向かって約３分の１だけ戻っている。したがって、鍵が完全に押し下げられた位置から休止状態の位置に向かって約３分の１だけ戻れば、ジャックとバットが第１のスプリングの力により強制的に係合し、演奏者は、同じ鍵を押鍵して同じ弦を鳴らすことができる。
本発明者が試験したところによると、第２のスプリングを板バネ又は捻りコイルバネとすることにより、第２のスプリングから第２の受け部に働く力の方向や大きさがぶれにくくなり、安定した鍵のタッチ感を得ることができる。
第２の受け部がハンマーウッドとハンマーシャンクとバットのうちのいずれかに設けられている場合、第２の受け部の位置がバットフレンジに近ければ近いほど、ハンマーが回動して第２のスプリングが第２の受け部に当たる際に生じる音が小さくなる。ハンマーが回動する際において、ハンマーと一緒に回動する第２の受け部の回動速度が、バットフレンジに近ければ近いほど、遅くなるからである。
第２の受け部が第２のレールに設けられている場合、第２のレールがバットフレンジに近ければ近いほど、ハンマーが回動して第２のスプリングが第２の受け部に当たる際に生じる音が小さくなる。ハンマーが回動する際において、ハンマーと一緒に第２のスプリングが回動するが、第２のスプリングのうちの第２の受け部に当たる部位の回動速度が、バットフレンジに近ければ近いほど、遅くなるからである。
第２のスプリングが第２の受け部に当たる際に生じる音を小さくするために、第２の受け部に当たる第２のスプリングの部位をフェルト等の布や樹脂等の柔軟性を有する素材によって被覆することができる。また、第２のスプリングが当たる第２の受け部の部位をフェルト等の布や樹脂等の柔軟性を有する素材によって被覆しても良い。
【手続補正５】
【補正対象書類名】明細書
【補正対象項目名】００２７
【補正方法】変更
【補正の内容】
【００２７】
なお、第１のレールとして、例えば、従来のアップライトピアノにあるジャックストップレールやレギュレーティングレールを挙げることができる。また、ブラケットの間に新たなレールを架け渡して固定し、これを第１のレールとしても良い。第２のレールとして、例えば、従来のアップライトピアノにあるセンターレールやダンパーストップレールを挙げることができる。また、ブラケットの間に新たなレールを架け渡して固定し、これを第２のレールとしても良い。
【手続補正６】
【補正対象書類名】明細書
【補正対象項目名】００２８
【補正方法】変更
【補正の内容】
【００２８】
請求項２の発明に係るアップライトピアノのアクションは、レギュレーティングレールと、ジャックストップレールと、センターレールと、ダンパーストップレールと、を有するとともに、ジャックのジャックテールとウィッペンとの間にジャックスプリングを有しており、演奏者が鍵を押鍵すると、当該ウィッペンが上昇しつつ回動し、当該ウィッペンの上に回動可能に軸止された当該ジャックの突き上げ部の突端が、バットの被突き上げ部を突き上げ、ハンマーが回動し、当該ハンマーのハンマーヘッドが弦を打弦するとともに、当該ジャックテールがレギュレーティングボタンに当たり、当該突き上げ部の突端が当該被突き上げ部の下から離脱するアップライトピアノのアクションであって、前記レギュレーティングレールと、前記ジャックストップレールと、のうちのいずれかが、第１のレールをなし、当該第１のレールと、前記突き上げ部と、のうちのいずれか一方に、板バネ又は捻りコイルバネからなる第１のスプリングが設けられており、前記第１のスプリングをなす板バネ又は捻りコイルバネから延びて自由端となっている足部が当接する第１の受け部が、前記第１のレールと、前記突き上げ部と、のうちの前記第１のスプリングを設けていないものに設けられており、前記センターレールと、前記ダンパーストップレールと、のうちのいずれかが、第２のレールをなし、当該第２のレールと、前記ハンマーウッドと、前記ハンマーシャンクと、前記バットと、のうちのいずれかひとつに、板バネ又は捻りコイルバネからなる第２のスプリングが設けられており、前記第２のスプリングが、前記ハンマーウッドと、前記ハンマーシャンクと、前記バットと、のうちのいずれかひとつに設けられている場合には、前記第２のスプリングをなす板バネ又は捻りコイルバネから延びて自由端となっている足部が当接する第２の受け部が、前記第２のレールに設けられており、前記第２のスプリングが、前記第２のレールに設けられている場合には、前記第２のスプリングをなす板バネ又は捻りコイルバネから延びて自由端となっている足部が当接する第２の受け部が、前記ハンマーウッドと、前記ハンマーシャンクと、前記バットと、のうちのいずれかひとつに設けられており、演奏者が前記鍵を離鍵し、前記ウィッペンが下降しつつ回動し、前記ジャックテールが前記レギュレーティングボタンから離れる際に、前記第１のレールと前記突き上げ部との間に挟まって撓んだ前記第１のスプリングが前記突き上げ部に与える力が、前記突き上げ部の突端を前記バットの前記被突き上げ部よりも前方側かつ上方側にある面に押し付けることができる大きさと方向の力であるとともに、前記突き上げ部を前記被突き上げ部の下に押し込むことができる大きさと方向の力であり、前記第１のスプリングが前記突き上げ部を前記被突き上げ部の下に押し込む際に前記突き上げ部から前記被突き上げ部に働く力を受けて前記弦に向かって回動する前記ハンマーと前記第２のレールとの間に挟まって撓んだ前記第２のスプリングが回動する前記ハンマーに与える力が、回動する前記ハンマーヘッドが前記弦に触れる前に前記ハンマーの回動を停止させることができる大きさと方向の力である。
請求項２の発明により、請求項１の発明を実施できる。
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】変更
【補正の内容】
【００３０】
請求項３の発明に係るアップライトピアノのアクションは、請求項２に記載のアップライトピアノのアクションであって、前記第１のレールと前記突き上げ部とのうちの前記第１の受け部が設けられているものに螺合して貫通する螺子の螺子部先端が、前記第１の受け部を支持している。
第１の受け部を支持する螺子の螺子部先端がその被螺合部材から突出する長さを変えれば、第１のスプリングと第１の受け部との当たり具合を容易に調節できる。このあたり具合を調節することにより、第１のスプリングからジャックの突き上げ部に働く力やトルクの大きさを容易に調節できる。
本発明者が試験したところによると、第１のスプリングを板バネ又は捻りコイルバネとすることにより、第１のスプリングから第１の受け部に働く力の方向や大きさがぶれにくくなり、安定した鍵のタッチ感を得ることができる。
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】
【手続補正１３】
【補正対象書類名】明細書
【補正対象項目名】００３５
【補正方法】変更
【補正の内容】
【００３５】
請求項４の発明に係るアップライトピアノのアクションは、請求項２又は請求項３に記載のアップライトピアノのアクションであって、前記第２のレールと、前記ハンマーウッドと、前記ハンマーシャンクと、前記バットとのうちの前記第２の受け部が設けられているものに螺合して貫通する螺子の螺子部先端が、前記第２の受け部を支持している。
第２の受け部を支持する螺子の螺子部先端がその被螺合部材から突出する長さを変えれば、第２のスプリングと第２の受け部との当たり具合を容易に調節できる。このあたり具合を調節することにより、第２のスプリングからハンマーに働く力やトルクの大きさを容易に調節できる。